(57)【要約】【課題】  家具の底部の通気性と清掃性とを確保しつつ、意匠面においても特徴のある家具底部部材、およびそれを備えた家具を提供する。【解決手段】  床面から一定高さ底上げされた家具１００の底上げされた底部空間を、該家具１００の側面側から覆うように形成される家具底部部材１０であって、家具１００の高さ方向に、隙間を介しつつ連続的に形成されて、通気部として機能するフィン１と、これらのフィン１が連結された支持材２とを備えることを特徴とする。【選択図】  図１
2005319130.tif 000002
【特許請求の範囲】
【請求項１】
床面から一定高さ底上げされた家具の底上げされた底部空間を、前記家具の側面側から覆うように形成される家具底部部材であって、
前記家具の側面側から前記底部空間を覆いつつ、前記底部空間とその外部との通気性を確保する通気部として構成される本体部材と、該本体部材に組み付けられ、前記家具本体を動かすことなく前記本体部材のみを前記家具から取り外すことができるよう、前記家具に対して着脱可能な係合部とを備えることを特徴とする家具底部部材。
【請求項２】
前記本体部材は、前記家具の高さ方向に一定の隙間を介しつつ連続的に、かつ床面に対して水平に配置されるフィンと、これらのフィンを支持する複数の支持材とによって構成される請求項１に記載の家具底部部材。
【請求項３】
前記支持材には、前記フィンと平行なレールが配設されており、
前記係合部は、前記レールに対して摺動可能に形成され、かつ前記家具本体を支持する支柱と係合するように形成されていることで、該係合部は、前記支柱の配置位置に応じて前記レールに沿って位置を変え、前記支柱と係合することができる請求項２に記載の家具底部部材。
【請求項４】
前記支持材の底部には、前記床面と摩擦接触して転動する転がり部材と、この転がり部材を回転可能に保持する保持部材とを備える転動ユニットが形成されており、この転動ユニットによって前記本体部材が前記床面上を水平方向に移動可能となっている請求項２または３に記載の家具底部部材。
【請求項５】
前記本体部材には、傾斜保持部材が取り付けられ、その傾斜保持部材は、前記本体部材が前記家具の前記支柱と係合している状態においては、前記床面に接することなく浮いた状態となるように配置されており、前記本体部材が前記家具の前記支柱から取り外された状態においては、前記支持材の底部を支点として前記本体部材を傾斜させることで、前記床面と当接し、前記本体部材の傾斜状態を保つことができるもので、かつその傾斜保持部材は、その底部に前記転動ユニットを備え、前記支持材の底部の前記転動ユニットとともに、前記本体部材が前記傾斜状態のまま前記床面上を移動可能となっている請求項４に記載の家具底部部材。
【請求項６】
前記本体部材は、連結材によって、複数の前記本体部材を連結することが可能であり、その連結材は、前記本体部材の側端面に表れる複数の前記フィンにまたがってこれらを拘束するように保持する形状をなし、かつ前記本体部材を保持しつつ前記フィンの長さ方向に沿って摺動可能に構成され、２つの前記本体部材の突き合わされた端部同士を同時に拘束するように配置することでこれら両本体部材を連結するものである請求項２ないし５のいずれか１項に記載の家具底部部材。
【請求項７】
請求項１ないし６のいずれか１項に記載の家具底部部材を備えることを特徴とする家具。
【発明の詳細な説明】
【技術分野】
【０００１】
本発明は、床面に設置される家具等の底部周縁を構成する家具底部部材、いわゆる蹴込みに関する。
【背景技術】
【０００２】
洗面化粧台やキッチン台等のキッチン家財である家具は床面上に設置され、その底部周縁には、該家具の奥行き方向にへこんだ壁部、いわゆる蹴込みが設けられている。従来、この蹴込みには、その奥行き側に、床面に垂直な板材、いわゆる蹴込み板が取り付けられており、こうした家具の底部に外部からほこりやゴミが入り込むことを防いでいた（特許文献１参照）。また、洗面化粧台やキッチン台等の底部には排水用の配管が配設されており、蹴込み板を設けることで、これらの配管を外部から隠し、全体の意匠性を損なわないようにしている。
【０００３】
【特許文献１】特許公開２００３−１６４３４０号公報
【発明の開示】
【発明が解決しようとする課題】
【０００４】
ところが、蹴込み板を設けることで、該蹴込み板に囲まれる家具底部の通気性が悪化するという問題がある。特に、家具底部に排水用の配管等が配設されている場合、該底部には湿気が残りやすく、家具の底板や床面が傷みやすくなる。また、湿度の高い地域では、特にこうした配管等が通っていなくても、家具の底部に湿気がたまり、これらの症状が発生してしまう場合もある。また、この通気性の問題を改善するために蹴込み板に通気孔等を設けると、今度はその開口からほこりやゴミ等が家具の底部に入り込むという問題が再発してしまう。また、このように家具の底部に入り込んだゴミを除去する場合、蹴込み板を取り外す必要があるが、通常、蹴込み板は締結部材によって家具に固定されていることが多く、取り外しは極めて困難であり、容易に清掃することができないという問題もあった。
【０００５】
本発明は、上記課題に鑑みてなされたものであり、家具の底部の通気性と清掃性とを確保しつつ、意匠面においても特徴のある家具底部部材、およびそれを備えた家具を提供することを目的とする。
【課題を解決するための手段および発明の効果】
【０００６】
上記課題を解決するために、本発明の家具底部部材は、床面から一定高さ底上げされた家具の底上げされた底部空間を、前記家具の側面側から覆うように形成される家具底部部材であって、前記家具の側面側から前記底部空間を覆いつつ、前記底部空間とその外部との通気性を確保する通気部として構成される本体部材と、該本体部材に組み付けられ、前記家具本体を動かすことなく前記本体部材のみを前記家具から取り外すことができるよう、前記家具に対して着脱可能な係合部とを備えることを特徴とする。
【０００７】
本発明では、洗面化粧台、キッチン台、キャビネット、収納棚等の家具の底部周縁を構成する壁部、いわゆる蹴込み部を、上記家具底部部材（以下、蹴込み部材ともいう）を配置することで、通気部として構成する。これにより、家具の底部空間に残る湿気等を外部に逃がすことができ、湿気による家具の底板や床面の傷みを防ぐことができる。また、家具に対して着脱可能であるため、家具の底部を清掃する際には、この蹴込み部材を取り外し、上記底部空間に溜まるゴミやほこりを容易に除去することができる。
【０００８】
また、本発明の本発明の家具底部部材では、前記本体部材は、前記家具の高さ方向に、隙間を介しつつ連続的に配置されるフィンと、これらのフィンを支持する複数の支持材とによって構成されるものであってもよい。
【０００９】
本発明では、洗面化粧台、キッチン台、キャビネット、収納棚等の家具の底部周縁を構成する家具底部部材を、複数のフィンを隙間を介して連続的に配置し、これを支持材で支持することによって構成する。これにより、これらの家具の底部、すなわち上記家具底部部材に囲まれる領域（底部空間）の通気性を増すことができる。また、これらのフィンの間の隙間は、家具底部の外周全体にわたって形成されるため、局所的に通気孔が設けられるような場合とは異なり、蹴込み部材全体が極めて通気性に優れた構造となる。
【００１０】
また、この家具底部部材によって構成される蹴込み部を、人の視点（人が立った状態にあるときの目線の位置）から見た場合、該蹴込み部は斜め上方から見られることとなる。フィンは家具の奥行き方向に所定の幅を有し、かつ家具の高さ方向に隙間を介しつつ連続的に形成し、これによって人の視点から蹴込み部を見た場合に、複数のフィンの上面のみが見えるように形成することができる。この場合、フィンとフィンとの間に隙間があっても、フィンに囲まれる領域（蹴込み部の内部）まで見えてしまうことはない。例えば該領域に備えられる配管等が外部に露出するようなことはない。
【００１１】
また、このような蹴込み部を意図的に横方向から覗き込んで見ることで、フィンとフィンとの間の隙間から、蹴込み部の内部を見ることもできる。これにより、内部にたまるゴミやほこりを視認することができ、またその隙間からゴミ等を取り出すこともできるため、清掃性に優れる。また、このようにフィンを備える本発明の家具底部部材は、家具の底部の外周全体に形成することができる。この家具底部部材が広範囲に形成されていれば、そのどの位置からでも内部を確認することができ、またどの位置からでもゴミやほこりを取り出すことができ、清掃性が増す。
【００１２】
また、本発明の家具底部部材では、フィンは、床面に対して平行に、かつ等間隔に備えられ、支持材は、家具の高さ方向に延びるように形成され、かつフィンの長さ方向において所定間隔で複数備えられているものであっても良い。フィンを床面から上方向（家具の高さ方向）に等間隔に備え、支持材をフィンの長さ方向に所定間隔に備えることで、蹴込み部全体が整然とした外観を備える。また、床面に設置される家具は、一般的に床面に対して垂直な方向と水平な方向のラインが強調されるような構造を有するものが多い。従って、フィンも床面に対して平行に備えることで家具の外側に表れるラインの方向が統一され、家具全体に統一感が生まれる。また、蹴込み部が設けられる家具の水平方向に配される部材と蹴込みのフィンとを同一の部材とすることで、このような家具のラインの統一性をさらに強調することができる。
【００１３】
また、本発明の家具底部部材では、支持材が、家具の奥行き方向側からフィンを支持する係合溝をするものであっても良い。本発明の家具底部部材によって形成される蹴込み部は、人の視点から見た場合に、フィンのみが見えることが望ましい。このとき支持材は、家具の奥行き方向側からフィンを支持するように配置されることで、フィンによって隠され、見え難くなる。また、支持材は、床面に対する垂直方向にフィンと同数の数の係合溝を設けて構成することができる。これにより、フィンを所定間隔おきに垂直に配置し、位置固定することが可能となる。
【００１４】
また、本発明の家具底部部材では、支持材には、フィンと平行なレールが配設されており、係合部は、前記レールに対して摺動可能に形成され、かつ前記家具本体を支持する支柱と係合するように形成されていることで、該係合部は、前記支柱の配置位置に応じて前記レールに沿って位置を変え、前記支柱と係合することができるものであってもよい。本発明の家具底部部材は、家具に対して固定されている必要がある。その固定方法としては、例えば以下のような方法がある。まず、フィンを家具の奥行き側から支持する支持材に、家具の底部で支持する支柱と脱着可能に係合する係合部を設け、その支持部材とフィンとからなる家具底部部材を形成しておく。そしてこの家具底部部材を家具の支柱に向かって挿入することで、支持材の係合部と支柱とを固定することができる。この場合、家具底部部材と家具との固定は、家具底部部材の係合部を支柱に係合させるだけで容易に固定することができ、またその取り外しも容易となる。
【００１５】
また、本発明の家具底部部材では、係合部は、フィンに対して平行に摺動可能に備えられているものであっても良い。蹴込み部材の係合部が、家具の底部に配される支柱と係合するものである場合は、蹴込み部材の係合部の位置を、家具の支柱の位置に応じて決定しなければならない。この場合、形状の異なる家具ごとに、それらに対応する係合部を設けた蹴込み部材を製作しなければならい。ところが、係合部がフィンに対して平行に摺動可能に備えられていることで、係合部をフィンと平行な方向に移動させることが可能となり、従って、様々な支柱の配置に対しても係合部を摺動させることで対応することが可能となる。具体的には、フィンと平行なレール部材を支持材に組み付ける形で設け、係合部をこのレールに沿って摺動できるように形成することができる。
【００１６】
また、本発明の家具底部部材では、本体部材は、連結材によって、複数の本体部材を連結することが可能であり、その連結材は、本体部材の側端面に表れる複数のフィンにまたがってこれらを拘束するように保持する形状をなし、かつ本体部材を保持しつつフィンの長さ方向に沿って摺動可能に構成され、本体部材の突き合わされた端部同士を同時に拘束するように配置することでこれら両本体部材を連結するものであっても良い。本発明の家具底部部材は、家具の底部の外周に沿って形成されるが、家具底部の外周形状は様々である。従って、フィンと支持材とからなる家具底部部材は、蹴込み部の一部を構成するパーツ部材として予め形成され、これらを連結材で外周方向につなぎ合わせていくことで、家具の外周形状に合った形状の蹴込みを形成することが可能となる。これにより、異なる形状の家具ごとに、その家具の形状に合わせた家具底部部材を形成する必要はなく、複数のパーツの組み合わせることによって、形状の異なる家具に応じた蹴込み部を形成することができる。
【００１７】
また、本発明の家具底部部材は、直線状のフィンを有する第一の家具底部部材と、直角方向に曲がったコーナー部を有するフィンを有する第二の家具底部部材とを有し、これらを組み合わせて配置することで、家具の底部空間を覆うものであっても良い。室内に配置される家具の底面は、通常、長方形形状をなすものがほとんどである。従って、蹴込み部を構成するためのパーツとしては、長方形の辺の直線部分に対応する直線状のフィンを有するパーツと、長方形の角に対応する直角に曲げられたフィンを有するパーツとの少なくとも２種類があれば対応できる。なお、直角に曲げられるフィンには、その角部にＲが付けられていることが望ましい。
【００１８】
また、本発明の家具底部部材では、支持材の底部には、床面と摩擦接触して転動する転がり部材と、この転がり部材を回転可能に保持する保持部材とを備える転動ユニットが形成されており、この転動ユニットによって本体部材が床面上を水平方向に移動可能となっているものであっても良い。これにより、家具底部部材が重いような場合でも、転動ユニットの転がり部材が車輪として機能するため、家具底部部材（パーツ）の組み付け・取り外しが容易となる。
【００１９】
また、本発明の家具底部部材では、本体部材には、傾斜保持部材が取り付けられ、その傾斜保持部材は、本体部材が家具の前記支柱と係合している状態においては、床面に接することなく浮いた状態となるように配置されており、本体部材が家具の支柱から取り外された状態においては、支持材の底部を支点として本体部材を傾斜させることで、床面と当接し、本体部材の傾斜状態を保つことができるもので、かつその傾斜保持部材は、その底部に転動ユニットを備え、支持材の底部の転動ユニットとともに、本体部材が傾斜状態のまま床面上を移動可能となっているものであっても良い。家具底部部材が直線に近い横長の形状をなす場合は、家具底部部材を構成するフィンが正面側に突き出ているため、家具底部部材全体の重心位置が中央よりも正面側にシフトしている。従って、このような家具底部部材は正面側に倒れやすい。従って、本発明では、支持材の背面側に傾斜保持部材を形成し、その底部に転動ユニットを備えさせるとともに、その傾斜保持部材の転動ユニットと支持材の転動ユニットとが床面に接した状態で、全体が背面側に傾斜した状態となるように構成することで、家具底部部材の重心位置が中央に寄り、全体のバランスが取りやすくなっている。
【００２０】
本発明の家具は、本発明の家具底部部材を備えることを特徴とする。これにより、上記効果を有する家具底部部材によって構成される蹴込み部を備えた家具を形成することができる。
【発明を実施するための最良の形態】
【００２１】
以下、本発明の蹴込み部材を図面を用いて説明する。図１は、本発明の蹴込み部材（本発明の家具底部部材）を家具（図１の場合、キッチン台１００）に装着し、家具の蹴込み部を形成したときの外観図であり、また、図２は、蹴込み部材装着前の家具の状態を示す外観図である。図のキッチン台１００は、支柱１１０によって床面に設置されている。このキッチン台１００は、図２に示すように、キッチン台本体が支柱１１０によって底上げされており、その底上げされた底部空間を覆うように蹴込み部材１０ａ，１０ｃが蹴込み部１０を構成するパーツとして配置されている。これらの蹴込み部材（以下、単にパーツとも言う）１０ａ，１０ｃは、複数のフラットバー（本発明のフィン）１をキッチン台１００の高さ方向に連続して配置し、これら複数のフラットバー１を複数の支持材２が支持することで全体が構成される。このとき、連続して配置されるフラットバー１の間には所定幅の隙間が形成されており、この隙間によって、キッチン台１００の底部空間とその外部との通気性が確保されている。従って、図１の蹴込み部１０は、通気部として機能する。
【００２２】
また、図１に示されている蹴込み部１０は、該蹴込み部１０を斜め上方から見たものである。すなわち図１は、人が立った状態にあるときの目線の位置から実際に蹴込み部１０を見たときの外観を示していると言える。図１では、パーツ１０ａ，１０ｃに囲まれるキッチン台１００の底部空間（例えば図２では支柱１１０が設けられている）は、蹴込み部１０によって隠され、表れていない。つまり、人の視界にキッチン台１００の底部空間がさらされることはない。これは、蹴込み部１０を構成する複数のフラットバー１の奥行き幅と、隣接するフラットバー間の隙間の幅との関係によって、人の目線から蹴込み部１０を見たときにキッチン台１００の底部空間が隠されるように設計されているためである。従って、図１には複数のフラットバー１の上面しか表れず、底部空間は表れない。つまり、パーツ１０ａ，１０ｃによって構成される蹴込み部１０は、キッチン台１００の底部空間を隠すブラインドの役割を果たしている。
【００２３】
また、図１の目線で蹴込み部１０を見た場合、フラットバー１の水平ラインが強調されており、蹴込み部１０は意匠面における特徴も有している。通常、床面に設置される家具（図１ではキッチン台１００）は、外観上、床面に対して垂直な方向や水平な方向のラインが強調されていることが多い。従って、蹴込み部１０が、複数のフラットバーによって水平ラインが強調されるように構成されていることで、蹴込み部１０を含む家具全体に対して統一感のある意匠性を与えることができる。
【００２４】
また、図２のように、図１の蹴込み部１０は、複数のフラットバー１と、それらのフラットバー１を支持する支持材２（図３〜図５参照）とを有するパーツ１０ａ，１０ｃからなり、これらを連結させることで構成されている。この場合、これらのパーツ１０ａ，１０ｃは、図１のように両者の間に備えられる連結材３によって連結されている。以下では、本発明の蹴込み部を構成するパーツ（上記蹴込み部材）と、それらを連結する連結材３について説明を行う。
【００２５】
まず、本発明の蹴込み部１０を構成するためのパーツについて、図３、図４、図５を用いて説明を行う。
【００２６】
図３は、直線形状の蹴込み部材１０ａであり、蹴込み部１０の直線部分をカバーするパーツである。図３の（ａ）はその上面図、（ｂ）はその正面図、（ｃ）はその側面図、（ｄ）はその背面図をそれぞれ表している。また、図６の（ａ）の右図は、図３の（ｃ）の構造を説明する図である。図３のパーツ１０ａは、フラットバー１と支持材２とを主として構成される。フラットバー１は、図３の（ａ）に示されているように、図の上下方向（すなわち、図１のようにキッチン台１００の底部に取り付けられたときの、キッチン台１００の奥行き方向）に所定の厚みを有しつつ、図の横方向に直線状に伸びるバーとして構成される。このフラットバー１は、図３の（ｂ）に示すように垂直方向に８つ積み上げられるとともに、これらは支持材２によって支持されている。
【００２７】
この支持材２には、図３の（ｃ）や図６に示すような８つの溝部（係合溝）２´（図６参照）が、支持材２の床面側から垂直上方側にかけて、等間隔おきに形成されている。フラットバー１はこの溝部２´に係合するように備えられることで、隣接するフラットバー１の間には所定幅の隙間が形成され、この隙間が通気部として機能する。また、この支持材２は、図３の（ａ）、図６（ａ）に示されているように、フラットバー１の長さ方向（図の横方向）に等間隔おきに配置されるとともに、フラットバー１に対して、図３の（ａ）の上側（すなわちキッチン台１００に装着されたときの、キッチン台の奥行き側）に備えられている。これにより、パーツ１０ａがキッチン台１００の蹴込み部の一部として配置された場合、パーツ１０ａの支持材２は、蹴込み部１０の表面側からは見え難くなる。なお、フラットバー１と支持材２の溝部２´とは係合しているだけでなく、支持材２とフラットバー１とが溶接によってより強固に結合している。例えば、図６の（ｂ）のように、支持材２の側面側に表れる溝部２´とフラットバー１とを点溶接（符号２０）する、または図示されない溝部２´の内部においてフラットバー１と点溶接またはスポット溶接することができる。
【００２８】
図４は、直角をなすコーナー部を１つ有するＬ字型の蹴込み部材１０ｂであり、蹴込み部１０のコーナー部を形成するためのパーツである。図４の（ａ）はその上面図、（ｂ）はその正面図、（ｃ）はその側面図をそれぞれ表している。図４のパーツ１０ｂも、フラットバー１と支持材２とを主として構成される。フラットバー１は、図４の（ａ）に示されているように、直角に曲がるコーナー部を１つ有し、そのコーナー部を境に、図の横方向に伸びているバーと、図の縦方向にそれよりは短く伸びているバーとで構成されている。このようなフラットバー１を製作する場合は、例えば、長さの異なるこの２つのバーをそれぞれ準備し、これらを溶接等によって連結し、製作することができる。また、コーナー部となる表面側にはアールを付けておくことで、フラットバー１の外観を滑らかに見せることが可能となる。なお、本実施例では、短い方のバーの奥行き方向の厚さが、長い方のバーよりも厚く形成されている。また、このフラットバー１は、図４の（ｂ）、（ｃ）に示すように垂直方向に８つ積み上げられるとともに、支持材２によって支持される。この支持材２の構造および支持材２によるフラットバー１の支持に関しては、図３のパーツ１０ａの場合と同様であるため、ここでの説明は省略する。
【００２９】
図５は、直角をなすコーナー部を２つ有する凹型の蹴込み部材１０ｃであり、蹴込み部１０の側面として配置され、２つのコーナーをカバーすることができるパーツである。図５の（ａ）はその上面図、（ｂ）はその正面図、（ｃ）はその側面図をそれぞれ表している。図５のパーツ１０ｃも、フラットバー１と支持材２とを主として構成される。フラットバー１は、図５の（ａ）に示すように、直角に曲がるコーナー部を２つ有し、そのコーナー部を境に、図の横方向に伸びているバーと、図の縦方向にそれよりは短く伸びている２つのバーとで構成されている。なお、図４と同様に、短い方のバーは、奥行き方向の厚さが長い方のバーよりも厚く形成されている。また、このようなフラットバー１を製作する場合は、これら３つのバーをそれぞれ準備し、これらを溶接等によって連結して製作することができ、また、コーナー部の表面側にはアールを付けておくことができる。また、このフラットバー１は、図５の（ｂ）、（ｃ）に示すように、垂直方向に８つ積み上げられるとともに、支持材２によって支持される。この支持材２の構造および支持材２によるフラットバー１の支持に関しては、図３のパーツ１０ａの場合と同様であるため、ここでの説明は省略する。
【００３０】
本実施例では、これら３種のパーツ１０ａ，１０ｂ，１０ｃの中から、図１に示すようなキッチン台（家具）１００の形状に応じて必要とされるパーツを選択し、それらを連結材３（図１参照）を用いて連結することで、キッチン台１００の底部周縁を覆う蹴込み部１０を形成することを可能としている。以下、その連結材３について説明を行う。なお、本発明におけるパーツは、上記３種に限定されるものではなく、他の様々な形状を採用することができる。例えば、９０度とは異なる角度のコーナー部を有するものや、３以上のコーナー部を有するもの等、家具の形状に応じて様々な形態のものがあっても良い。
【００３１】
図７の（ａ）は、隣り合うパーツを連結するための連結材３の外観図であり、図７の（ｂ）はパーツの連結を説明するための説明図である。図７の（ａ）に示すように、連結材３は、角パイプのような形状をなすとともに、背面側の中央部に開口を有する。この連結材３の内部の中空部分は、図７の（ｂ）に示すように、蹴込み部材を構成する全てのフラットバー１が包持される領域であり、連結材３は、該領域にフラットバー１を包むように配置され、フラットバー１の長さ方向（図７の（ｂ）の矢印の方向）に摺動可能となっている。この連結材３を用いてパーツ同士を連結する場合、まず図８の（ａ）に示すように、連結する２つのパーツのうち、いずれか一方の端部にこの連結材３を組み付けた上で、それら両パーツのフラットバー１を横方向に連続するように配置する。次いで、図８の（ｂ）のように、連結材３を双方のフラットバー１の中間位置に移動させ、双方のフラットバー１の端部を包持するように配置することで、両者を連結する。このとき、連結材３の開口側が、蹴込み部から露出されると、蹴込み部全体の意匠性を損なう可能性があるため、開口側が家具の奥行き側とされることが望ましい。また、蹴込み部に統一感のある意匠性を与えるためには、連結材３がフラットバー１と同一の材料で構成されていることが望ましい。なお、この開口は、図３の（ａ）に示されているような、フラットバー１と平行に配設されるレール６の形成を妨げないために設けられたものであり、レール等がない場合は必ずしも開口を必要としない。
【００３２】
なお、パーツ同士が連結状態にある場合において、連結された両パーツの連結部分は、連結材３によって外部から隠されるので、両者の間に若干の隙間（図８の（ｃ）参照）があったとしても、それによって意匠性が損なわれることはない。逆に言えば、任意にその隙間の幅を調節することが可能であるとも言え、従って、各パーツを家具の底部周縁に配置する際に、その隙間幅の微調整により各パーツの配置位置の微調整を行うことができるという利点を備える。
【００３３】
上記のような連結材３により、各種のパーツ（本実施例ではパーツ１０ａ，１０ｂ，１０ｃの３種）を連結することで、様々なタイプの家具の蹴込み部１０を形成することが可能となる。ただし、蹴込み部１０は、位置ずれなどが生じないように家具に固定されている必要がある。この家具への固定方法については、通常の場合、家具の底面板に直接固定する等、様々な方法が考えられるが、ここでは家具の支柱に対して固定するものとし、それに関する２種類の固定方法について以下で説明する。
【００３４】
図９は、パーツをキッチン台（家具）の支柱に係合するため係合部の一実施例を示すものである。図９の係合部７は、支持材２の中央部分に、図３の（ａ）に示されているような、フラットバー１と平行なレール６が配設され、そのレール６に対して係合部７が組み付けられている。この係合部７は、図９の（ａ）に示すように、その端部にレール組付部７ａを備え、該レール組付部７ａがレール６を構成する上側の部材と下側の部材とで挟み込んで組み付けられる。また、係合部７は、図９の（ｂ）に示すように、支柱１１０を係合部７の円弧状の先端部から図のＢ１方向に挿入し、円弧状の部分が支柱１１０を係合して固定可能となっている。これにより、パーツ１０ａ，ｂ，ｃとキッチン台１００とが固定される、つまり蹴込み部１０とキッチン台１００とが固定される。このとき、係合部７は、図９の（ｂ）のＡ１、Ａ２方向、すなわちレール６の長さ方向に沿って摺動可能となっている。これにより、支柱１１０の配置位置がフラットバー１の横幅方向のどの位置であっても、係合部７をレール６に沿って係合可能な位置に移動させることで、支柱１１０との係合が可能となる。また、この係合部７はレール６の端部からレール６に組み付け・取り外しを行うものであり、従って任意の数の係合部７をレール６に組み付けることができる。
【００３５】
図１０は、パーツをキッチン台（家具）の支柱に連結するために、図９とは異なる係合部を用いたときの実施例を示すものである。図１０の係合部５は、図５に示されている係合部５である。この係合部５は、支持材２に固定されており、係合部材５ａと係合受け部材５ｂとで構成される。係合部は、支柱１１０を図のＢ２方向から挿入し、この２つの係合部材５ａ、係合受け部材５ｂで挟持することで係合される。この場合、係合部５は図９の係合部７のように移動することができないため、キッチン台１００に設けられる支柱１１０の位置に応じて、予めその配置位置を決定しておく必要がある。
【００３６】
なお、本実施例の場合は、図９に示す係合部７を直線形状をなすパーツ１０ａに形成し、図１０に示す係合部５をコーナー部を有するパーツ１０ｃに形成するものとする。また、本実施例では、蹴込み部材を取り付ける家具をキッチン台としているが、通常のキッチン台の場合、横方向に関する寸法規格は多数存在し、逆に縦方向に関する寸法規格は少ない。従って、本実施例では、縦方向にコーナー部を有する上記のＬ字型、凹型等のパーツを用い、横方向には上記の直線形状のパーツを用いると予め定めておくものとする。これは、直線形状のパーツの方がコーナー部を有する他のパーツに比べて製作が容易であり、多数の規格に応じたパーツの形成に適するためである。また、このような直線形状のパーツに係合部を設ける場合は、上記のような摺動可能な係合部７が設けられることが望ましい。キッチン台などの家具は、規格に応じて支柱の位置や数が異なり、従って、直線形状をなすパーツに組付ける係合部も、それに応じて位置や数を修正する必要があるため、上記のようにレールに沿って配置位置の移動が可能な係合部７が直線形状をなすパーツに形成されることは有効である。逆に、コーナー部を有する上記のＬ字型や凹型のパーツ等の、寸法規格の少ないパーツの係合部には、取り付け位置が固定される図１０に示すような係合部５を形成しても良い。
【００３７】
このような係合部を備えた本発明の蹴込み部材のパーツを用いることで、様々な形状の家具の底部周縁を覆う蹴込み部が形成される。以下、その様々な実施例について説明を行う。
【００３８】
図１１は、独立設置式（アイランド型）のキッチン台に対して、蹴込み部１０を形成する場合の蹴込み部を構成するパーツの組み付け位置を示すものである。この場合、キッチン台１００の長軸方向に延びる側面側（図の上下方向）にはパーツ１０ａがその中央部に配置され、短軸方向に延びる側面側（図の左右方向）にはパーツ１０ｃが配置される。この場合、まず連結材３をパーツ１０ａの両端部に包持させた上で、パーツ１０ａ，１０ｃを、それらが有する係合部５，７が家具１００の支柱１１０に対して係合させる。係合後には、パーツ１０ａの両端にある連結材３を摺動させて、パーツ１０ａ，１０ｃの隣接する端部を覆う位置に配置し、外部から連結部分を隠す。
【００３９】
また、図１２は、２面が壁面（斜線部）と接しているキッチン台（家具）１００に蹴込み部を形成する場合のパーツの組み付け位置を示すものである。この場合、キッチン台１００の長軸方向（図の左右方向）には壁面と接するようにパーツ１０ａを配置し、短軸方向（図の上下方向）にはパーツ１０ｂを壁面と接するように配置する。このとき、パーツ１０ａ，１０ｂとは連結材３によって連結されるとともに、係合部５，７によって家具１００の支柱１１０と固定されている。
【００４０】
また、図１３は、１面が壁面（斜線部）と接しているキッチン台（家具）１００に蹴込み部を形成する場合のパーツの組み付け位置を示すものである。である。この場合のキッチン台１００は、短軸側の側面の一方が壁付けされている。その壁付けされた側面と対向する側の側面にはパーツ１０ｃを配置し、壁面と接する長軸側の側面部にはパーツ１０ａを壁面と接するように配置する。このとき、パーツ１０ａ，１０ｃとは連結材３によって連結されるとともに、係合部５，７によって家具１００の支柱１１０と固定されている。
【００４１】
また、図１４は、図１３のように１面が壁面（斜線部）と接しているキッチン台（家具）１００に蹴込み部を形成する場合のパーツの組み付け位置を示すものである。この場合のキッチン台１００は、長軸側の側面の一方が壁付けされている。その壁付けされた側面と対向する側の側面にはパーツ１０ａを配置し、壁面と接する短軸側の側面部にはパーツ１０ｂを壁面と接するように配置する。このとき、パーツ１０ａ，１０ｃとは連結材３によって連結されるとともに、係合部５，７によって家具１００の支柱１１０と固定されている。
【００４２】
また、図１５は、図１３のように対向する２面が壁面（斜線部）と接しているキッチン台（家具）１００に蹴込み部を形成する場合のパーツの組み付け位置を示すものである。この場合、両端が壁面と接するようにパーツ１０ａを配置する。このとき、係合部７によって家具１００の支柱１１０と固定されている。
【００４３】
なお、これらのキッチン台１００を支持する支柱１１０は、高さ調整が可能な支柱であっても良い。この場合、蹴込み１０が支柱１１０の最低高さよりも低い必要がある。また、このとき、キャビネットに近い上側のフラットバー１は、人の視点から見た場合に、キッチン台１００に隠れて見えなくなる場合があり、従って、キッチン台１００の底部の高さよりも蹴込み部１０の高さの方が低い場合は、蹴込み部１０を床面に接するように備えることが、外観上望ましい。
【００４４】
また、フラットバー１と支持材２と連結材３とを同一部材とすることが、蹴込み１０の外観に統一性を与えるためには望ましい。例えば、樹脂や木材、アルミやステンレスなどの金属材料などで形成することができる。特に、蹴込み部の形成対象がキッチン台や洗面台等、水回りに用いられるような家具である場合は、これらの家具に多用されるステンレス部分に合わせて、蹴込み１０の露出部分をなすフラットバー１と支持材２と連結材３とをステンレスで形成することで、家具全体の統一感を増すことができる。なお、家具の支柱との係合部に関しては、外部に露出しないため、別部材であっても良い。
【００４５】
なお、フラットバー１や支持材２を例えばステンレスのような比較的重い材料で形成した場合に、蹴込み部が重すぎて、その取り外し・組み付けが難しくなる可能性がある。従って、わずかでもその重量を落とすために、例えば支持材２を内部が中空となるように構成しても良い。また、重量があっても蹴込み部となるパーツの取り外し・組み付けを容易に行うために、各パーツに、例えば図１６に示すような車輪部（転がり部材）を有する転動ユニットが組み付けられていても良い。このとき、転動ユニットは、少なくとも蹴込み部となるパーツを、床面に対して水平に、かつ少なくとも１方向に対して移動可能とする必要がある。通常、蹴込み部のパーツを家具に組み付ける、または取り外す場合は、図１１〜図１５に示す矢印の前後方向に、床面に沿って移動させることで行う。従って、蹴込み部をなす個々のパーツに上記転動ユニットが形成されていれば、重量があってもパーツの移動が容易となり、パーツの組み付け・取り外しをスムーズに行うことができる。
【００４６】
図１６は、その転動ユニットの一例が示されている。図１６の（ａ）に示す転動ユニット８ａは、回転軸８２ａを中心に回転可能に支持された円柱形状の転がり部材８１ａを有する。これにより、該転動ユニット８ａは、転がり部材８１ａが図の矢印方向に床面上を転がり移動することで、全体が床面に対して水平に移動する。このとき、回転軸８２ａは、フレーム材８５ａによって両端を支持されており、これらによって転がり部材８１ａは回転可能に保持されている（これらが保持部材に相当する）。これにより、また、フレーム材８５ａの両端には、ネジ穴８３ａを有する結合部８４ａが形成されている。
【００４７】
また、本実施例の転動ユニットとしては、床面に対して水平な方向に３６０度移動可能なものであっても良い。図１６（ｂ）（断面図）に示す転動ユニット８ｂは、球形状の転がり部材８１ｂと、これを回転可能に保持する保持部材８２ｂと、これらを包含するように構成されるフレーム材８５ｂとによって構成されるものであり、転がり部材８１ｂを床面に当接させるように備えることで、この転動ユニット８ｂは床面上を３６０度移動可能となる。
【００４８】
以下、上記転動ユニット８ａを用いた場合を例とし、転動ユニットを備えた蹴込み部材について説明を行う。図１７は、転動ユニット８ａを支持材２に備えた時の図である。図１７の（ａ）はその外観図、図１７（ｂ）はその背面図である。これらの図に示すように、転動ユニット８ａは、支持材２の底部の背面側に備えられ、正面側からは見え難いように配置されている。この場合、支持材２は内部が中空で、かつ底面に開口が形成されているように形成されており、転動ユニット８ａは支持材２の側面と結合部８４ａを貫通するように設けられたネジ穴８３ａにネジ８６ａをねじ込むことで、両者を固定している。
【００４９】
なお、コーナー部を有するパーツは、図１７の（ｃ）に示すように、転動ユニット８ａは、蹴込み部材の正面側では対向するフラットバー１と平行に備えられ、側面側では対向するフラットバーと垂直をなして備えられる。これにより、パーツ全体は、支持材底部の転動ユニット８ａの転がり部材８１ａのみが床面に当接して支持され、この転がり部材８１ａを車輪として図の矢印方向に移動可能となる。
【００５０】
ところが、コーナー部の無い直線形状のパーツ１０ａの場合は、転動ユニットがフラットバー１と平行な一直線状に配置されるため、パーツ全体のバランスを取ることが難しく、従って移動の際には転動ユニット８ａの転がり部材以外の部分が床面に当接して、床面を傷つける可能性があるため、直線形状のパーツ１０ａには、図１８に示すような倒れ防止部材（傾斜保持部材）９が組み付けられる。この倒れ防止部材９は、その底部の背面側に転動ユニット８ａを備えている。なお、本実施例では、倒れ防止部材９は、直得線形状のパーツ１０ａに形成されるレール６に対してレール組付部９ａが組み付けられており、倒れ防止部材９全体がレール６に沿って摺動可能となっている。
【００５１】
この直線形状のパーツ１０ａが家具に固定するときは、図１９の（ａ）に示すように、支持材２の転動ユニット８ａによって、家具の支柱に向かってパーツ１０ａ全体を移動させ、家具に固定された状態のときは、支柱１１０と係合した係合部７と支持材２の転動ユニット８ａとによって、支持材２が床面（図の斜線部）に対して垂直を保つようにパーツ１０ａ全体を維持する。これらの状態においては、倒れ防止部材９の転動ユニット８ａは床面に対して浮いた状態を保っており、床面には当接していない。ただし、家具から取り外した際には、図１９（ｂ）のように、倒れ防止部材９の転動ユニット８ａが床面に当接させるまでパーツ１０ａ全体を背面側に傾斜させ、支持材２の転動ユニット８ａと倒れ防止部材９の転動ユニット８ａとによってパーツ１０ａ全体を支持する。
【００５２】
以上、本発明の実施例を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００５３】
【図１】家具に対して本発明の家具底部部材を装着した外観図。
【図２】家具への本発明の家具底部部材の装着を示す図。
【図３】本発明の家具底部部材の第一の形態を示す図。
【図４】本発明の家具底部部材の第二の形態を示す図。
【図５】本発明の家具底部部材の第三の形態を示す図。
【図６】フラットバーと支持材との固定状態を説明する説明図。
【図７】本発明の連結材を説明する説明図。
【図８】本発明の家具底部部材の連結を説明する説明図。
【図９】本発明の係合部の第一実施例を説明する説明図。
【図１０】本発明の係合部の第二実施例を説明する説明図。
【図１１】キッチン台に本発明の家具底部部材を組付けた第一実施形態を示す概略図。
【図１２】キッチン台に本発明の家具底部部材を組付けた第二実施形態を示す概略図。
【図１３】キッチン台に本発明の家具底部部材を組付けた第三実施形態を示す概略図。
【図１４】キッチン台に本発明の家具底部部材を組付けた第四実施形態を示す概略図。
【図１５】キッチン台に本発明の家具底部部材を組付けた第五実施形態を示す概略図。
【図１６】本発明の家具底部部材に組み付けられる転動ユニットを説明する概略図。
【図１７】転動ユニットを使用状態を説明する説明図。
【図１８】本発明の家具底部部材に組み付けられる倒れ防止部材を説明する第一の説明図。
【図１９】本発明の家具底部部材に組み付けられる倒れ防止部材を説明する第二の説明図。
【符号の説明】
【００５４】
１      フラットバー（フィン）
２      支持材
３      連結材
５      係合部
６      レール
７      係合部
８ａ，８ｂ  転動ユニット
９      倒れ防止部材（傾斜保持部材）
１０    蹴込み部
１０ａ，ｂ，ｃ  家具底部部材（蹴込み部材、パーツ）
１００  キッチン台（家具）
１１０  支柱
【図１】
2005319130.tif 000003
【図２】
2005319130.tif 000004
【図３】
2005319130.tif 000005
【図４】
2005319130.tif 000006
【図５】
2005319130.tif 000007
【図６】
2005319130.tif 000008
【図７】
2005319130.tif 000009
【図８】
2005319130.tif 000010
【図９】
2005319130.tif 000011
【図１０】
2005319130.tif 000012
【図１１】
2005319130.tif 000013
【図１２】
2005319130.tif 000014
【図１３】
2005319130.tif 000015
【図１４】
2005319130.tif 000016
【図１５】
2005319130.tif 000017
【図１６】
2005319130.tif 000018
【図１７】
2005319130.tif 000019
【図１８】
2005319130.tif 000020
【図１９】
2005319130.tif 000021